(57)【要約】【課題】  一般の住宅や集合住宅等のベランダなど、更には、庭の隅やガレージなど屋外の少ないスペースでも使用することができ、特に、各段に支持したプランターが特に下側のプランターの栽培の邪魔にならない。【解決手段】  互いに対向して配置した左右一対の縦柱２，２間に、プランター４の前後のフランジ４１，４１を支持するための前後一対の支持杆３１ａ，３２ａ，３３ａ，３４ａおよび３１ｂ，３２ｂ，３３ｂ，３４ｂを前後方向に所定の間隔を有して架設した複数の支持棚３１，３２，３３，３４を上下方向に複数段形成したプランター支持棚１において、各段の支持棚３1，３２，３３，３４を構成する前方の支持杆３１ａ，３２ａ，３３ａ，３４ａが後方の支持杆３１ｂ，３２ｂ，３３ｂ，３４ｂに対して所定の距離だけ下方に位置しているとともに前記各段の支持棚３２，３３，３４がその上段の支持棚３１，３２，３３よりも所定の距離だけ前方に位置している。【選択図】      図３
0003112394.tif 000002
【実用新案登録請求の範囲】
【請求項１】
互いに対向して配置した左右一対の縦柱間に、プランターの前後のフランジを支持するための前後一対の支持杆を前後方向に所定の間隔を有して架設した複数の支持棚を上下方向に複数段形成したプランター支持棚において、前記各段の支持棚を構成する前方の支持杆が後方の支持杆に対して所定の距離だけ下方に位置しているとともに前記各段の支持棚がその上段の支持棚よりも所定の距離だけ前方に位置していることを特徴とするプランター支持棚。
【請求項２】
前記互いに対向して配置した左右一対の縦柱が梯子形であって、各縦柱を構成する各段の支持棚を構成する前後一対の支持杆を架設するための枠部材が前方に向けて低くなるように所定の角度で傾斜しているとともにそれらの長さが上段のものよりも下段のものが長く形成されており、且つ各段の前記前方の支持杆が各横枠部材の前端位置に架設されている請求項１記載のプランター支持棚。
【請求項３】
各段における前方の支持杆における架設位置において横枠部材に対する直角線の交差する付近をその下段における後方の支持杆におけ横枠部材への架設位置とする請求項２記載のプランター支持棚。
【請求項４】
前記各段における前後一対の支持杆の間に複数個のプランターを支持するためのほぼＵ字形の支持部材が架設されている請求項１,２または３記載のプランター支持棚。
【請求項５】
前記Ｕ字形の支持部材が左右方向に移動可能に前後一対の支持杆の間に架設されている請求項４記載のプランター支持棚。
【請求項６】
前記各支持棚における前後一対の支持杆の内、少なくとも後方の支持杆が前後方向に移動可能に支持されている請求項１,２,３,４または５記載のプランター支持棚。
【請求項７】
前記左右一対の縦柱間の後方に筋交いが配置されている請求項１，２，３，４，５または６記載のプランター支持棚。
【考案の詳細な説明】
【技術分野】
【０００１】
本考案は、草花や野菜などを育成するプランターを支持するための支持棚に関するものであり、特に、複数のプランター上下方向に支持して家屋のベランダに配置可能なプランター支持棚に関するものである。
【背景技術】
【０００２】
従来、家屋のベランダなどにおいて草花や野菜などを育成する手段の一つとしてプランターや植木鉢を用いることが行われており、特に、多数のプランター等を少ない空間に設置する目的で多段式のプランター支持棚が用いられている。
【０００３】
そして、ベランダなどの狭い空間に配置されるプランター支持棚は一般に複数段を上下方向へと並配するものであり、上の段に配置されるプランターにより栽培物の成長が阻害されるとともに、日差しが遮られたり消毒や手入れがきわめて不便である。
【０００４】
そこで、例えば実開平６−７４４５号公報、特開平８−１６３９３１号公報、特開平１０−１１３０８０号公報、特開２０００−００００３１号公報等に下側のプランターの表面が露出した状態で支持することが可能なプランター支持棚が提示されている。
【０００５】
しかしながら、前記公報に提示されているプランター支持棚は、いずれも三角形の側部材を用いたり、下方に向かうに従って前方へ張り出す形状を有するものであり、各段に支持したプランターに植えた草花や野菜などの栽培物が上の段に配置されたプランターにより成長が阻止されたり、各段に支持したプランターに太陽の日差しが当たるとともに消毒や手入れ、収穫などの作業も容易で安定して設置できる反面、上段のプランターが下段のプランターへの日差しを遮断しないように下段のプランターを配置しなければならないことから奥行がプランターの奥行の段数分を加算した長さだけ必要となり設置面積が大きく、一般に幅が狭いベランダに置くには適していない。
【０００６】
そこで、少ない奥行で各段に支持したプランターに日差しが当たるようにしたプランター支持台が登録実用新案第３０４５０３０号公報、登録実用新案第３０８３３１９号公報、特開２０００−３２４９５０号公報などに提示されている。
【０００７】
ところが、前記公報に提示されている日差しを良好とした手段は、支持したプランターを観覧車のように回転させて各プランターの位置を順次、変化させることにより各プランターを市四毛の位置に配置させるものである。
【０００８】
従って、前記公報に提示されている回転式のプランター支持棚は、構造も複雑で部品点数も多く、価格も高く、重量も嵩むなど一般にベランダなどで使用するには適していない。
【０００９】
更に、登録実用新案第３０４９５００号公報に各段のプランターを前傾姿勢で支持する棚が提示されているが、これは、複数のプランターを水平状態に支持するプランター支持棚に比べれば上段のプランターが下の段のプランターを邪魔することなしに配置することが可能であるが、上段のプランターが下段のプランターとの前後方向位置が同じであることから上段のプランターと下段のプランターとの間に距離を取らなければならず所定の高さにおいては段数が減少することになり、例えばベランダに設置するような少ない空間に多数のプランターを配置するという目的に合致しない。
【特許文献１】実開平６−７４４５号公報
【特許文献２】特開平８−１６３９３１号公報
【特許文献３】特開平１０−１１３０８０号公報
【特許文献４】特開２０００−００００３１号公報
【特許文献５】登録実用新案第３０４５０３０号公報
【特許文献６】登録実用新案第３０８３３１９号公報
【特許文献７】特開２０００−３２４９５０号公報
【特許文献８】特開２０００−３２４９５０号公報
【考案の開示】
【考案が解決しようとする課題】
【００１０】
本考案が解決しようとする課題は、ベランダなどの幅も高さも制限された狭い空間に設置して多数のプランターを支持するのに適していることはいうまでもなく、上下方向に支持した各プランター間における干渉がなく、栽培物の成長が阻害されずに日当たりがよく、作業も容易で構造も複雑でなく、少ない部品点数で、組み立ても容易で、しかも安定した設置が可能なプランター支持棚を提供するものである。
【課題を解決するための手段】
【００１１】
前記課題を解決するためになされた本考案は、  互いに対向して配置した左右一対の縦柱間に、プランターの前後のフランジを支持するための前後一対の支持杆を前後方向に所定の間隔を有して架設した複数の支持棚を上下方向に複数段形成したプランター支持棚において、前記各段の支持棚を構成する前方の支持杆が後方の支持杆に対して所定の距離だけ下方に位置しているとともに前記各段の支持棚がその上段の支持棚よりも所定の距離だけ前方に位置していることを特徴とする。
【００１２】
また、前記構成において互いに対向して配置した左右一対の縦柱が梯子形であって、各縦柱を構成する各段の支持棚を構成する前後一対の支持杆を架設するための枠部材が前方に向けて低くなるように所定の角度で傾斜しているとともにそれらの長さが上段のものよりも下段のものが長く形成されており、且つ各段の前記前方の支持杆が各横枠部材の前端位置に架設されている構成、各段における前方の支持杆における架設位置において横枠部材に対する直角線の交差する付近をその下段における後方の支持杆におけ横枠部材への架設位置とする構成、また、前記各段における前後一対の支持杆の間に複数個のプランターを支持するためのほぼＵ字形の支持部材が架設されている構成、前記Ｕ字形の支持部材が左右方向に移動可能に前後一対の支持杆の間に架設されている構成、少なくとも後方の支持杆が前後方向に移動可能である構成、前記左右一対の縦柱間の後方に筋交いが配置されている構成とするとよい。
【考案の効果】
【００１３】
本考案によれば、家庭で畑を必要とせずに簡単に野菜や草花を簡単に栽培することができることはいうまでもなく、一般の住宅や集合住宅等のベランダなど、更には、庭の隅やガレージなど屋外の少ないスペースでも使用することができ、特に、各段に支持したプランターが特に下側のプランターの栽培の邪魔にならない。
【考案を実施するための最良の形態】
【００１４】
次に、本考案を実施するための最良の形態について図面を参照して説明する。
【００１５】
図１乃至図３は本考案における好ましい実施の形態を示すものであり、プランター支持棚１は、互いに対向して配置した左右一対の縦柱２,２と縦柱２,２の間に架設される上下方向に配置される支持棚３1，３２，３３，３４とから構成される。
【００１６】
そして、各縦柱２は例えば金属製のパイプ材により遊端側に向かって広がる逆Ｕ字形に形成された縦柱本体２５に例えば４つの枠部材２１,２２,２３,２４が例えば溶接などの手段により架設されて全体として梯子形を呈しており、設置部となる各遊端部には例えばねじ式の高さ調整具２６,２６が付設されている。
【００１７】
特に、各枠部材２１,２２,２３,２４は前方側が低くなるように所定の角度を有して架設されているとともにそれぞれの長さも下方にいくほど所定の長さずつ長くなる。
【００１８】
また、前記縦柱２,２に架設される支持棚３１（３２,３３,３４）は、少なくとも支持するプランター４の横幅より長い前後一対の金属製のパイブ材により形成された支持杆３１ａ，３１ｂ（３２ａ，３２ｂ），（３３ａ，３３ｂ）（３４ａ，３４ｂ）を前記縦柱２,２の各枠部材２１,２２,２３,２４位置において架設することにより形成される。
【００１９】
特に、各支持棚３１（３２,３３,３４）における前方の支持杆３１ａ（３２ａ，３３ａ，３４ａ）は、各縦柱２,２における各枠部材２１（２２,２３,２４）の前端位置においてねじ５により固着されるとともに後方の支持杆３１ｂ（３２ｂ，３３ｂ，３４ｂ）は互いに前後方向に対向して配置される前方の支持杆３１ａ（３２ａ，３３ａ，３４ａ）とで支持するプランター４における前後のフランジ４１，４１を支持可能な距離を隔てて各縦柱２,２の各枠部材２１（２２,２３,２４）にねじ５により固着される。
【００２０】
本実施の形態では、２本の金属製のパイプ材より形成された筋交い６，６が左右一対の縦柱２，２間の後方にねじ５により固着されている。
【００２１】
また、本実施の形態では、各段における支持棚３１（３２,３３）を構成する前方の支持杆３１ａ（３２ａ，３３ａ）における架設位置において横枠部材に対する直角線の交差する付近をその下段における支持棚３２（３３,３４,）の後方の支持杆３２ａ（３３ａ，３４ａ）におけ横枠部材２２（２３,２４）への架設位置としている（図４参照）。
【００２２】
尚、前記各縦柱２を構成する各枠部材２１,２２,２３,２４の長さ、傾斜角度、配置間隔および各支持棚３１（３２,３３,３４）の長さや前後幅は支持するプランター４の形状に応じて所定値を定める。
【００２３】
このように本実施の形態は、それぞれパイプ材により形成された左右一対の縦柱２，２と前方の支持杆３１ａ（３２ａ，３３ａ，３４ａ）と後方の支持杆３１ｂ（３２ｂ，３３ｂ，３４ｂ）と、筋交い６，６で構成され、これらをねじ５により固着して組み立てるものであり、これらを梱包しても嵩張ることがなく保管ならびに運搬に便利であるとともに組み立ても短時間で簡単にできるばかりか筋交い６，６もあるのできわめて堅牢で安定している。
【００２４】
そして、本実施の形態は、図３には示すように、各支持棚に３１，３２,３３,３４にプランター４を前後のフランジ４１を架設して支持するものである。
【００２５】
このとき、本実施の形態では図４（ａ）に示すように、各支持棚３２,３３,３４に支持されたプランター４の開口部４２はその上の棚に支持されたプランター４に塞がれることなく露出した状態であり、花や野菜などの栽培物７が成長を阻害される心配もなく、また、日当たりも良好で水やりや手入れ、採り入れ等も支障なく行うことができる。
【００２６】
図４（ａ）は本実施の形態の側面を示すものであり、上側に支持したプランター４が下側のプランターを邪魔しないことが確認できる。
【００２７】
尚、図４（ｂ）はプランター４を傾斜させないで上下方向に配置した従来の支持棚の例を示すものであり、図４（ａ）に示した本実施の形態と同様に４個のプランタ４を支持したとき、図４（ａ）に示した本実施の形態における奥行を１とした場合は、図４（ｂ）の従来例は２倍の奥行を必要とし、本実施の形態がきわめて小さい設置面積を有していることがわかる。
【００２８】
更に、図４（ｃ）はプランタ４を傾斜させて支持する構成の支持棚を示すものであり、図４（ａ）に示した本考案の実施の形態と異なり、上側に支持したプランター４が下側のプランターの半分近くを覆うことになり実用的でなく、これをを図４（ａ）に示す本考案の実施の形態に示すようにするには図４（ｄ）に示すように上と下に配置されるプランター４，４の間隔を拡げる必要から支持するプランター４の数が減少してしまう。
【００２９】
これらのことから本考案が優れていることがわかる。
【００３０】
図５は本考案の異なる実施の形態の一部分を示すものであり、全体の構成は前記図１乃至図３に示した実施の形態とほぼ同様であるが、各支持棚３１（３２，３３，３４）を構成する後方の支持杆３１ｂ（３２ｂ，３３ｂ，３４ｂ）が前後方向に移動可能に配置されている点が異なる。
【００３１】
更に詳しく説明すると、各支持棚３１を形成する前方の前方の支持杆３１ａをねじ５により縦柱本体２５に固着するとともに、枠部材２１に形成した前後方向に延びる長孔２１ａに支持杆３１ｂの端部を貫通支持させてねじ５により所望の位置に固定したものである。
【００３２】
本実施の形態によれば、後方の支持杆３１ｂ（３２ｂ，３３ｂ，３４ｂ）が前後方向に移動可能に配置されているので、前方の支持杆３１ａ（３２ａ，３３ａ，３４ａ）との距離を調節することができ、奥行、即ち前後方向のフランジの位置が異なる複数種類のプランターを支持素ることができる。
【００３３】
図６（ａ）は本考案の異なる実施の形態を示すものであり、全体の構成は前記図１乃至図３に示した実施の形態とほぼ同様であるが、各支持棚３１（３２,３３）を構成する前方の支持杆３１ａ，３２ａ，３３ａ，３４ａと後方の支持杆３１ｂ（３２ｂ，３３ｂ，３４ｂ）との間に複数個のプランターを支持するためのほぼＵ字形の支持部材７，７が架設されている点が異なる。
【００３４】
本実施の形態によれば、図６に示すように、前方の支持杆３１ａ，３２ａ，３３ａ，３４ａと後方の支持杆３１ｂ（３２ｂ，３３ｂ，３４ｂ）との間に直接架設することが困難な奥行が足りないプランター４も支持すること、更には縦幅が長い、即ち深さのあるプランター４も支持することが可能であり、Ｕ字形の支持部材７，７を左右方向に移動可能に架設した場合には横幅の短いプランター４も支持することができる。  また、ほぼＵ字形の支持部材７，７を用いる場合にはたとえば図６（ｂ）および図６（ｃ）に示すように各支持棚３１を形成する前方の前方の支持杆３１ａをねじ５により縦柱本体２５に固着する必要があるが後方の支持杆３１ｂを縦柱本体２５にねじを用いて固着する必要がなく更に組立が容易である。図６（ｂ）に示したものは枠部材２１に形成した前後方向に延びる長孔２１ａに支持杆３１ｂの端部を貫通支持させたもの、図６（ｃ）に示したものは支持杆３１ｂの端部に付設したフック３１ｃを枠部材２１に掛止させたものであり、いずれの場合もねじを用いて枠部材２１に固着する手間がいらないだけでなく、支持杆３１ｂの前後位置を所定の範囲について調節可能であり、前後幅の異なる複数種類の支持部材７を使用することが可能である。
【００３５】
尚、前記図６（ｂ）に示したものは枠部材２１に形成した前後方向に延びる長孔２１ａに支持杆３１ｂの端部を貫通支持させただけで構成並びに組み立てなどがきわめて簡単であるが、例えば前記図五に示すように長孔２１ａに貫通支持させた支持杆３１ｂの端部をねじ５により緊締させる構成とすれば支持杆３１ｂが枠部材２１にに強固に固着するので更に安定したものとなる。
【００３６】
また、前記各実施の形態は、左右一対の縦柱２，２と前方の支持杆３１ａ（３２ａ，３３ａ，３４ａ）と後方の支持杆３１ｂ（３２ｂ，３３ｂ，３４ｂ）と、筋交い６，６をパイプ材により形成したものであるが、本考案はこれに限らず、例えば木材を用いて形成してもよく材質、組み立て手段は問わない。
【図面の簡単な説明】
【００３７】
【図１】本考案の実施の形態を示す斜視図。
【図２】図１に示した実施の形態の分解斜視図。
【図３】図１に示した実施の形態の使用状態を示す説明図。
【図４】図１に示した実施の形態と比較例とを示す側面図。
【図５】本考案の異なる実施の形態を示す斜視部分図。
【図６】本考案の更に異なる実施の形態を示す斜視図。更に異なる支持部材の一例を示す斜視図。
【図７】図６に示した実施の形態についての使用状態の説明図。
【符号の説明】
【００３８】
１ プランター支持棚、  ２  縦柱、  ４  プランター、  ６  筋交い、  ７  支持部材、  ２１,２２,２３,２４  枠部材、  ３１，３２，３３，３４  支持棚、  ３１ａ，３２ａ，３３ａ，３４ａ    支持杆、３１ｂ，３２ｂ，３３ｂ，３４ｂ  支持杆
【図１】
0003112394.tif 000003
【図２】
0003112394.tif 000004
【図３】
0003112394.tif 000005
【図４】
0003112394.tif 000006
【図５】
0003112394.tif 000007
【図６】
0003112394.tif 000008
【図７】
0003112394.tif 000009